(57)【特許請求の範囲】
【請求項１】
眼鏡に対して着脱自在に取り付けられる眼鏡用防塵具であって、
眼鏡に対して取り付けられた状態において、前記眼鏡の左右のレンズ後方にそれぞれ位置し、少なくとも後方周縁部が弾性体から形成された左右一対の筒状部材と、
前記左右一対の筒状部材を互いに連結する伸縮自在の連結部材と、
前記左右一対の筒状部材のそれぞれに取り付けられ、前記眼鏡の左右一対のパッドを狭持するための狭持部材とを備えることを特徴とする眼鏡用防塵具。
【請求項２】
前記筒状部材は、硬質性の材料から形成された環状部材と、当該環状部材の周縁部から後方に延設された弾性部材とを備え、
前記連結部材は、前記環状部材に取り付けられることを特徴とする請求項１に記載の眼鏡用防塵具。
【請求項３】
透明な材料から形成され、前記筒状部材の前方開口部を閉塞する眼鏡部材を更に備えることを特徴とする請求項１又は２に記載の眼鏡用防塵具。
【請求項４】
前記狭持部材は、前記眼鏡の左右一対のパッドに対向する面が凹凸形状に形成されることを特徴とする請求項１から３のいずれかに記載の眼鏡用防塵具。
【請求項５】
前記筒状部材は、後方周縁部から外方又は内方に向けて平面状に突設され、弾性体から形成された鍔部を備えることを特徴とする請求項１から４のいずれかに記載の眼鏡用防塵具。
【請求項６】
前記筒状部材の前方周縁部に取り付けられた粘着材を更に備えることを特徴とする請求項１から５のいずれかに記載の眼鏡用防塵具。
【発明の詳細な説明】
【技術分野】
【０００１】
本発明は、眼鏡に対して着脱自在に取り付けられる眼鏡用防塵具に関し、特に、常時使用している眼鏡（度付き眼鏡）を装着したままの状態で、花粉から目を保護する等の防塵機能を効果的に且つ安価に奏し得る眼鏡用防塵具に関する。
【背景技術】
【０００２】
従来より、花粉の他、粉塵、飛翔、風圧等から目を保護するべく、種々の防塵眼鏡が提案されている（例えば、特許文献１及び２参照）。
【０００３】
図３に示すように、例えば、従来提案され実用化されている防塵眼鏡２は、それ自体で眼鏡として装着し、顔部に固定できるように、耳に係合させるために湾曲した耳掛け部を有するテンプル２１を備えた構成である。ここで、眼鏡（特に、度付きの眼鏡の場合に問題となる）を使用している者にとって、花粉等から目を保護するべく防塵眼鏡２を装着するには、使用している度付き眼鏡の上から更に防塵眼鏡２を装着するか、或いは、使用している度付き眼鏡を外した上で防塵眼鏡２を装着する必要が生じる。
【０００４】
しかしながら、度付き眼鏡の上から更に防塵眼鏡２を装着する場合には、度付き眼鏡のテンプルと防塵眼鏡２のテンプル２１とが重なり合うため、違和感を生じるのみならず、防塵眼鏡２のテンプルが耳に密着せず外れたり位置ずれを生じたりし易いため、防塵機能が損なわれるという問題がある。また、度付き眼鏡と防塵眼鏡２とは別体であり、相互に連動するものではないため、互いの装着位置を調整し難く、ひいては防塵眼鏡２と顔部との間に広い隙間が生じ易くなる結果、防塵機能が損なわれるという問題もある。このような防塵機能の低下を少しでも抑止するべく、防塵眼鏡２の前枠２２を顔部側に過度に押し付けると、度付き眼鏡も顔部側に過度に押し付けられる結果、圧迫感が増し使用者に不快感を与えてしまうという問題もある。
【０００５】
一方、使用している度付き眼鏡を外した上で防塵眼鏡２を装着する場合には、上記問題は生じないものの、当然に視力低下の問題を生じるため実用的ではない。防塵眼鏡２自体を度付き眼鏡とする構成も考えられるが、コストが掛ってしまうという問題がある。
【０００６】
従って、常時使用している眼鏡（度付き眼鏡）に対して着脱自在に取り付けることが可能な眼鏡用防塵具を提案することが望まれている。
【０００７】
ここで、眼鏡に対して着脱自在に取り付け可能な構成を有するものとしては、従来より、いわゆる前掛眼鏡が提案されている（例えば、特許文献３参照）。
【０００８】
しかしながら、斯かる前掛眼鏡は、サングラスを掛けた状態を得る目的で、或いは、度付き眼鏡の視力矯正を図る等の目的で提案されたものであって、眼鏡に対して着脱自在に取付可能であるものの、眼鏡に対して何ら防塵機能を奏するものではない。
【特許文献１】特開平１０−３２８２３０号公報
【特許文献２】特開２００１−３４３６１８号公報
【特許文献３】実用新案登録第３０５７８５２号公報
【発明の開示】
【発明が解決しようとする課題】
【０００９】
本発明は、斯かる従来技術の問題点を解決するべくなされたものであり、常時使用している眼鏡（特に、度付き眼鏡）を装着したままの状態で、花粉から目を保護する等の防塵機能を効果的に且つ安価に奏し得る眼鏡用防塵具を提供することを課題とする。
【課題を解決するための手段】
【００１０】
前記課題を解決するべく、本発明は、眼鏡に対して着脱自在に取り付けられる眼鏡用防塵具であって、眼鏡に対して取り付けられた状態において、前記眼鏡の左右のレンズ後方にそれぞれ位置し、少なくとも後方周縁部が弾性体から形成された左右一対の筒状部材と、前記左右一対の筒状部材を互いに連結する伸縮自在の連結部材と、前記左右一対の筒状部材のそれぞれに取り付けられ、前記眼鏡の左右一対のパッドを狭持するための狭持部材とを備えることを特徴とする眼鏡用防塵具を提供するものである。
【００１１】
本発明に係る眼鏡用防塵具によれば、眼鏡（特に、度付き眼鏡を対象とするのに好適である）に対して取り付けられた状態において、眼鏡の左右のレンズ後方にそれぞれ位置する左右一対の筒状部材を備えるため、眼鏡用防塵具を取り付けた眼鏡を装着した場合、当該眼鏡のレンズと前記筒状部材とによって眼の周囲は覆われ、防塵機能を奏することになる。ここで、筒状部材の少なくとも後方周縁部（顔部に当接する部分となる）が弾性体から形成されているため、顔部への密着性が高まり防塵機能を向上させることができると共に、使用者が違和感を感じ難いという利点を有する。また、前記左右一対の筒状部材を互いに連結する伸縮自在の連結部材と、前記左右一対の筒状部材のそれぞれに取り付けられ、前記眼鏡の左右一対のパッドを狭持するための狭持部材とを備えるため、連結部材を伸縮させて筒状部材ひいては狭持部材の位置を調整し、パッドを狭持部材で狭持することにより、眼鏡用防塵具は眼鏡に取り付けられることになる。従って、眼鏡と取り付けられた眼鏡用防塵具とは連動することになり装着位置を調整し易くなる（眼鏡の装着位置を調整するだけで良い）他、眼鏡用防塵具自体には顔部に固定するためのテンプルは不要であるため、防塵機能を損なわないという利点を有する。また、眼鏡を装着したままの状態で良いため、筒状部材に度付きレンズを取り付ける必要が無く、安価であるという利点も有する。さらには、連結部材を伸縮させることにより筒状部材や狭持部材の位置を調整可能であるため、必ずしも眼鏡の前枠の形状（ウェリントン、ボストン、スクェア、オーバル、ロイドなど）毎に独立別個に眼鏡用防塵具を用意する必要が無く自由度が高いという利点も有する。換言すれば、取り付け対象とする種々の眼鏡のうち最もレンズ寸法が小さな眼鏡よりも小さな断面寸法を有するように筒状部材を形成すると共に、連結部材の伸縮範囲を種々の眼鏡のレンズの左右間距離の変動範囲に適合するように設定すれば、前記取り付け対象とする全ての眼鏡に対して一種類の眼鏡用防塵具を用意するだけで足りることになる。従って、眼鏡使用者にとっては、特に複数の眼鏡を保有する場合に、各眼鏡に応じて複数の眼鏡用防塵具を購入する必要が無く経済的であると共に、眼鏡用防塵具の販売者側にとっては、複数種の眼鏡用防塵具を在庫しておく必要が無く在庫管理の手間が少なくて済むという利点が得られる。なお、本発明に係る眼鏡用防塵具によれば、眼鏡のレンズと筒状部材とによって眼の周囲が覆われるため、覆われた空間内の湿度を保持し易く、冬場における眼の乾燥防止を図ることも可能である。
【００１２】
好ましくは、前記筒状部材は、硬質性の材料から形成された環状部材と、当該環状部材の周縁部から後方に延設された弾性部材とを備え、前記連結部材は、前記環状部材に取り付けられる。
【００１３】
斯かる発明によれば、筒状部材が硬質性の材料から形成された環状部材を備え、連結部材が前記環状部材に取り付けられるため、連結部材を伸縮させて筒状部材の位置を調整する際に、筒状部材の形状を保持し易く、取り付けが容易であるという利点を有する。また、筒状部材は、環状部材の周縁部から後方に延設された弾性部材を備え、当該弾性部材が顔部に当接することになるため、顔部への密着性が高まり防塵機能を向上させることができると共に、使用者が違和感を感じ難いという利点を有する。
【００１４】
好ましくは、透明な材料から形成され、前記筒状部材の前方開口部を閉塞する眼鏡部材を更に備えるように構成される。
【００１５】
斯かる発明によれば、筒状部材の前方開口部を閉塞する眼鏡部材を備えるため、例え眼鏡のレンズと筒状部材の前端部との間に隙間が生じたとしても、筒状部材の前方開口部から花粉や粉塵等が筒状部材内部に進入することがなく、防塵機能を更に向上させることが可能である。また、眼鏡部材が透明な材料から形成されるため、眼鏡の視認性を損なうこともない。
【００１６】
好ましくは、前記狭持部材は、前記眼鏡の左右一対のパッドに対向する面が凹凸形状に形成される。
【００１７】
斯かる発明によれば、狭持部材のパッドに対向する面が凹凸形状に形成されるため、パッドを狭持した際に、パッドに対する狭持部材の位置がずれ難く、ひいては眼鏡用防塵具が眼鏡からずれ難くなり、取り付けを確実にすることが可能である。
【００１８】
好ましくは、前記筒状部材は、後方周縁部から外方又は内方に向けて平面状に突設され、弾性体から形成された鍔部を備えるように構成される。
【００１９】
斯かる発明によれば、眼鏡用防塵具を取り付けた眼鏡を装着した場合、平面状に突設された鍔部に顔部が当接することになる。すなわち、眼鏡防塵具と顔部とが鍔部で面接触することになるため、顔部への密着性が高まり防塵機能をより一層向上させることができると共に、使用者が違和感をより一層感じ難いという利点を有する。
【００２０】
好ましくは、前記筒状部材の前方周縁部に取り付けられた粘着材を更に備えるように構成される。
【００２１】
斯かる発明によれば、筒状部材の前方周縁部に粘着材が取り付けられているため、眼鏡用防塵具を眼鏡に取り付ける際に粘着材を眼鏡のレンズ後面に対して押圧すれば、当該粘着材の粘着力によって筒状部材がレンズ後面にしっかりと固定されるという利点を有する。なお、粘着材としては、例えば、再粘着性を有するポリウレタン樹脂を好適に用いることができる。
【発明の効果】
【００２２】
以上に説明したように、本発明に係る眼鏡用防塵具によれば、眼鏡に対して取り付けられた状態において、眼鏡の左右のレンズ後方にそれぞれ位置する左右一対の筒状部材を備えるため、眼鏡用防塵具を取り付けた眼鏡を装着した場合、当該眼鏡のレンズと前記筒状部材とによって眼の周囲は覆われ、防塵機能を奏することになる。ここで、筒状部材の少なくとも後方周縁部が弾性体から形成されているため、顔部への密着性が高まり防塵機能を向上させることができると共に、使用者が違和感を感じ難いという利点を有する。また、前記左右一対の筒状部材を互いに連結する伸縮自在の連結部材と、前記左右一対の筒状部材のそれぞれに取り付けられ、前記眼鏡の左右一対のパッドを狭持するための狭持部材とを備えるため、連結部材を伸縮させて筒状部材ひいては狭持部材の位置を調整し、パッドを狭持部材で狭持することにより、眼鏡用防塵具は眼鏡に取り付けられることになる。従って、眼鏡と取り付けられた眼鏡用防塵具とは連動することになり装着位置を調整し易くなる他、眼鏡用防塵具自体には顔部に固定するためのテンプルは不要であるため、防塵機能を損なわないという利点を有する。また、眼鏡を装着したままの状態で良いため、筒状部材に度付きレンズを取り付ける必要が無く、安価であるという利点も有する。さらには、連結部材を伸縮させることにより筒状部材や狭持部材の位置を調整可能であるため、必ずしも眼鏡の前枠の形状毎に独立別個に眼鏡用防塵具を用意する必要が無く自由度が高いという利点も有する。換言すれば、取り付け対象とする種々の眼鏡のうち最もレンズ寸法が小さな眼鏡よりも小さな断面寸法を有するように筒状部材を形成すると共に、連結部材の伸縮範囲を種々の眼鏡のレンズの左右間距離の変動範囲に適合するように設定すれば、前記取り付け対象とする全ての眼鏡に対して一種類の眼鏡用防塵具を用意するだけで足りることになる。従って、眼鏡使用者にとっては、特に複数の眼鏡を保有する場合に、各眼鏡に応じて複数の眼鏡用防塵具を購入する必要が無く経済的であると共に、眼鏡用防塵具の販売者側にとっては、複数種の眼鏡用防塵具を在庫しておく必要が無く在庫管理の手間が少なくて済むという利点が得られる。なお、本発明に係る眼鏡用防塵具によれば、眼鏡のレンズと筒状部材とによって眼の周囲が覆われるため、覆われた空間内の湿度を保持し易く、冬場における眼の乾燥防止を図ることも可能である。
【発明を実施するための最良の形態】
【００２３】
以下、添付図面を参照しつつ、本発明の一実施形態について説明する。
【００２４】
図１は、本発明の一実施形態に係る眼鏡用防塵具の概略構成を示す図であり、（ａ）は正面図を、（ｂ）は平面図を、（ｃ）は眼鏡用防塵具が備える連結部材の拡大図を、それぞれ示す。また、図２は、本実施形態に係る眼鏡用防塵具を眼鏡に対して取り付けた状態を概略的に示す背面図である。図１及び図２に示すように、本実施形態に係る眼鏡用防塵具１は、眼鏡（度付き眼鏡）３に対して取り付けられた状態（図２に示す状態）において、眼鏡３の左右のレンズ３１、３２後方（図２の紙面手前側）にそれぞれ位置し、少なくとも後方周縁部が弾性体から形成された左右一対の筒状部材１１、１２と、左右一対の筒状部材１１、１２を互いに連結する伸縮自在の連結部材１３と、左右一対の筒状部材１１、１２のそれぞれに取り付けられ、眼鏡３の左右一対のパッド３３、３４を狭持するための狭持部材１４、１５とを備えている。
【００２５】
より具体的には、本実施形態に係る筒状部材１１は、硬質性を有する材料から形成された環状部材１１１と、環状部材１１１の周縁部から後方に延設された弾性部材１１２とを備えている。また、筒状部材１２も同様に、硬質性を有する材料から形成された環状部材１２１と、環状部材１２１の周縁部から後方に延設された弾性部材１２２とを備えている。連結部材１３は、その両端が環状部材１１１、１２１の上縁部にそれぞれ取り付けられている。なお、連結部材１３と環状部材１１１、１２１との取付方法としては、例えば、連結部材１３を金属製とし、環状部材１１１、１２１を樹脂製とした場合には、連結部材１３の両端部をフック状に形成し、環状部材１１１、１２１の上縁に設けた孔部（図示せず）に当該フック状の両端部を嵌め込んでかしめる方法などを採用することが可能である。また、挟持部材１４、１５は、環状部材１１１、１２１の内方の縁部にそれぞれ取り付けられている。狭持部材１４、１５と環状部材１１１、１２１の取付方法としては、例えば、両者を接着剤で接着させる方法などを採用することが可能である。なお、環状部材１１１、１２１としては、硬質性を有する種々の材料から形成可能であるが、成形容易であることが好ましいため、例えば、ポリカーボネート樹脂やアクリル樹脂などから形成される。また、弾性部材１１２、１２２としては、例えば、硬質ゴム、スポンジゴム、シリコンゴムなどの種々の弾性材料から形成可能である。環状部材１１１、１２１と、弾性部材１１２、１２２とは、接着材を用いて互いに接合したり、或いは、弾性部材１１２、１２２の環状部材１１１、１２１の周縁部と対向する箇所に溝を形成し、当該溝に環状部材１１１、１２１を嵌め込む等により、互いに結合すれば良い。
【００２６】
また、本実施形態に係る連結部材１３は、金属製とされており、図１（ｃ）に示すように、環状部材１１１の上縁部に基端が固定されて環状部材１２１に向かって延びるアーム部材１３１と、アーム部材１３１の軸線方向に延びる略矩形状の支持枠１３２と、環状部材１２１の上縁部に基端が固定されて環状部材１１１に向かって延びる軸杆１３３と、支持枠１３２と軸杆１３３との間に介装されるコイルバネ１３４とを備えている。
【００２７】
略矩形状の支持枠１３２は、前後に平行に配置された案内杆１３２ａ、１３２ｂと、これら案内杆１３２ａ、１３２ｂの基端及び先端をそれぞれ互いに連結する連結片１３２ｃ、１３２ｄとを備えている。なお、連結片１３２ｃには、アーム部材１３１の先端が連結されている。
【００２８】
連結片１３２ｄには、その略中央部分に設けられた挿通孔（図示せず）を介して軸杆１３３が挿通している。また、軸杆１３３の先端には、案内杆１３２ａ、１３２ｂに案内されて摺動する摺動片１３５が取り付けられている。より具体的には、摺動片１３５には、その両端部に案内孔（図示せず）が設けられており、当該案内孔に案内杆１３２ａ、１３２ｂが挿通した状態とされている。  
【００２９】
コイルバネ１３４は、軸杆１３３が挿通した状態で、摺動片１３５と連結片１３２ｄとの間に介装されている。
【００３０】
以上の構成を有する連結部材３によれば、左右一対の筒状部材１１、１２を互いに離間する方向に引っ張ることにより、コイルバネ１３４が摺動片１３５と連結片１３２ｄとの間で圧縮された状態となり、左右一対の筒状部材１１、１２を互いに近づける方向の付勢力が作用することになる。従って、パッド３３、３４の離間距離以上に狭持部材１４、１５が離間するように筒状部材１１、１２を引っ張った後、挟持部材１４、１５の間にパッド３３、３４を位置決めすれば、前記付勢力によって確実にパッド３３、３４を挟持することが可能である。
【００３１】
以上のように、本実施形態に係る眼鏡用防塵具１は、眼鏡３に対して取り付けられた状態において、眼鏡３の左右のレンズ３１、３２後方にそれぞれ位置する左右一対の筒状部材１１、１２を備えるため、眼鏡用防塵具１を取り付けた眼鏡３を装着した場合、眼鏡のレンズ３１、３２と筒状部材１１、１２とによって眼の周囲は覆われ、防塵機能を奏することになる。ここで、筒状部材１１、１２の少なくとも後方周縁部（本実施形態では、弾性部材１１２、１１３）が弾性体から形成されているため、顔部への密着性が高まり防塵機能を向上させることができると共に、使用者が違和感を感じ難いという利点を有する。また、前記左右一対の筒状部材１１、１２を互いに連結する伸縮自在の連結部材１３と、左右一対の筒状部材１１、１２のそれぞれに取り付けられ、眼鏡３の左右一対のパッド３３、３４を狭持するための狭持部材１４、１５とを備えるため、連結部材１３を伸縮させて筒状部材１１、１２ひいては狭持部材１４、１５の位置を調整し、パッド３３、３４を狭持部材１４、１５で狭持することにより、眼鏡用防塵具１は眼鏡３に取り付けられることになる。従って、眼鏡３と取り付けられた眼鏡用防塵具１とは連動することになり装着位置を調整し易くなる（眼鏡３の装着位置を調整するだけで良い）他、眼鏡用防塵具１自体には顔部に固定するためのテンプルは不要であるため、防塵機能を損なわないという利点を有する。また、眼鏡３を装着したままの状態で良いため、筒状部材１１、１２に度付きレンズを取り付ける必要が無く、安価であるという利点も有する。
【００３２】
また、連結部材１３を伸縮させることにより筒状部材１１、１２や狭持部材１４、１５の位置（離間距離）を調整可能であるため、必ずしも眼鏡３の前枠の形状（ウェリントン、ボストン、スクェア、オーバル、ロイドなど）毎に独立別個に眼鏡用防塵具１を用意する必要が無く自由度が高いという利点も有する。換言すれば、取り付け対象とする種々の眼鏡３のうち最もレンズ寸法が小さな眼鏡よりも小さな断面寸法を有するように筒状部材１１、１２（環状部材１１１、１２１）を形成すると共に、連結部材１３の伸縮範囲を種々の眼鏡３のレンズ３１、３２の左右間距離の変動範囲に適合するように設定すれば、前記取り付け対象とする全ての眼鏡３に対して一種類の眼鏡用防塵具１を用意するだけで足りることになる。従って、眼鏡使用者にとっては、特に複数の眼鏡３を保有する場合に、各眼鏡３に応じて複数の眼鏡用防塵具１を購入する必要が無く経済的であると共に、眼鏡用防塵具１の販売者側にとっては、複数種の眼鏡用防塵具１を在庫しておく必要が無く在庫管理の手間が少なくて済むという利点が得られる。さらに、本実施形態では、筒状部材１１、１２が硬質性の材料から形成された環状部材１１１、１２１を備え、連結部材１３が環状部材１１１、１２１に取り付けられるため、連結部材１３を伸縮させて筒状部材１１、１２の位置を調整する際に、筒状部材１１、１２の形状を保持し易く、取り付けが容易であるという利点も有する。
【００３３】
なお、本実施形態に係る眼鏡用防塵具１は、透明な材料から形成され、筒状部材１１、１２の前方開口部を閉塞する眼鏡部材１６、１７を備えている。眼鏡部材１６、１７としては、透明である限りにおいて種々の材料から形成することが可能であり、例えば、ポリカーボネート樹脂やアクリル樹脂などから形成される。本実施形態に係る眼鏡用防塵具１は、筒状部材１１、１２の前方開口部を閉塞する眼鏡部材１６、１７を備えるため、例え眼鏡３のレンズ３１、３２と筒状部材１１、１２の前端部（環状部材１１１、１２１）との間に隙間が生じたとしても、筒状部材１１、１２の前方開口部から花粉や粉塵等が筒状部材１１、１２内部に進入することがなく、防塵機能を更に向上させることが可能である。また、眼鏡部材１６、１７が透明な材料から形成されるため、眼鏡３の視認性を損なうこともない。
【００３４】
また、本実施形態に係る挟持部材１４、１５は、眼鏡３の左右一対のパッド３３、３４に対向する面が凹凸形状に形成されている。従って、パッド３３、３４を狭持した際に、パッド３３、３４と挟持部材１４、１５との間の摩擦抵抗が強まることになり、パッド３３、３４に対する狭持部材１４、１５の位置がずれ難く、ひいては眼鏡用防塵具１が眼鏡３からずれ難くなり、取り付けを確実にすることが可能である。
【００３５】
さらに、本実施形態に係る筒状部材１１、１２は、後方周縁部１１ａ、１２ａから外方又は内方に向けて（本実施形態では内方に向けて）平面状に突設され、弾性体から形成された鍔部１１２ａ、１２２ａを備えている。換言すれば、弾性部材１１２、１２２が平面状の鍔部１１２ａ、１２２ａを備えている。従って、本実施形態に係る眼鏡用防塵具１を取り付けた眼鏡３を装着した場合、平面状に突設された鍔部１１２ａ、１２２ａに顔部が当接することになる。すなわち、眼鏡用防塵具１と顔部とが鍔部１１２ａ、１２２ａで面接触することになるため、顔部への密着性が高まり防塵機能をより一層向上させることができると共に、使用者が違和感をより一層感じ難いという利点を有する。
【００３６】
なお、筒状部材１１、１２（環状部材１１１、１２１）の前方周縁部に粘着材を取り付ける構成を採用することが好ましい。斯かる構成によれば、眼鏡用防塵具１を眼鏡３に取り付ける際に粘着材を眼鏡３のレンズ３１、３２後面に対して押圧すれば、当該粘着材の粘着力によって筒状部材１１、１２がレンズ３１、３２後面にしっかりと固定されるという利点を有する。なお、粘着材としては、例えば、再粘着性を有するポリウレタン樹脂を好適に用いることができる。
【図面の簡単な説明】
【００３７】
【図１】図１は、本発明の一実施形態に係る眼鏡用防塵具の概略構成を示す図である。
【図２】図２は、図１に示す眼鏡用防塵具を眼鏡に対して取り付けた状態を概略的に示す背面図である。
【図３】図３は、従来の防塵眼鏡の概略構成を示す斜視図である。
【符号の説明】
【００３８】
１…眼鏡用防塵具
１１、１２…筒状部材
１３…連結部材
１４、１５…挟持部材
１６、１７…眼鏡部材
１１１、１２１…環状部材
１１２、１２２…弾性部材
１１２ａ、１２２ａ…鍔部
【要約】
【課題】  常時使用している眼鏡（特に、度付き眼鏡）を装着したままの状態で、花粉から目を保護する等の防塵機能を効果的に且つ安価に奏し得る眼鏡用防塵具を提供する。
【解決手段】  眼鏡用防塵具１は、眼鏡３に対して取り付けられた状態において、眼鏡３の左右のレンズ３１、３２後方にそれぞれ位置し、少なくとも後方周縁部が弾性体から形成された左右一対の筒状部材１１、１２と、左右一対の筒状部材１１、１２を互いに連結する伸縮自在の連結部材１３と、左右一対の筒状部材１１、１２のそれぞれに取り付けられ、眼鏡３の左右一対のパッド３３、３４を狭持するための狭持部材１４、１５とを備え、眼鏡３に対して着脱自在に取り付けられる。
【選択図】    図２
【図１】
0003541198.tif 000002
【図２】
0003541198.tif 000003
【図３】
0003541198.tif 000004